(57)【要約】【課題】管端部に接続するキャップ部材や接続継手部材を含む管継手構造において、接続対象管の管端から管軸に沿って接続するに要するスペースの長さを短くすることができる。【解決手段】ポリエチレン管１の端部に接続継手部材２を接続する管継手構造において、第１抜け止め手段４と第２抜け止め手段１１とを備え、第１抜け止め手段４は、ポリエチレン管１の管端内に挿入される、外周面に歯部５が形成された抜け止め部材５と、接続継手部材２の端部とポリエチレン管１の端部との間に形成された隙間（Ｍ１）内に挿入される封止部材６と、封止部材６を押し込んで、ポリエチレン管１を縮径させ、かくして、ポリエチレン管１の内周面に歯部５ｂを食い込ませる押し込み機構７とからなり、第２抜け止め手段１１は、接続継手部材２内に形成された継手部材側係合部２ｂと、抜け止め部材５に形成された、継手部材側係合部２ｂと係合する抜け止め部材側係合部５ｃとからなる。【選択図】図１
2014142047.tif 000002
【特許請求の範囲】
【請求項１】
接続対象管の端部に継手部材を接続する管継手構造において、第１抜け止め手段と第２抜け止め手段とを備え、前記第１抜け止め手段は、前記接続対象管の管端内に挿入される、外周面に歯部が形成された抜け止め部材と、前記継手部材の端部内周面と前記接続対象管の端部外周面との間に形成された隙間内に挿入される封止部材と、前記封止部材を押し込んで、前記接続対象管を縮径させ、かくして、前記接続対象管の内周面に前記歯を食い込ませる押し込み機構とからなり、前記第２抜け止め手段は、前記継手部材内に形成された継手部材側係合部と、前記抜け止め部材に形成された、前記継手部材側係合部と係合する抜け止め部材側係合部とからなることを特徴とする管継手構造。
【請求項２】
前記継手部材側係合部は、前記継手部材の内周面に沿って間隔をあけて形成され、前記抜け止め部材側係合部は、前記抜け止め部材の内周面に沿って間隔をあけて形成され、前記継手部材側係合部の間隔は、前記抜け止め部材側係合部の幅より広く形成されていることを特徴とする、請求項１に記載の管継手構造。
【請求項３】
前記歯部は、前記抜止め部材の挿入側面（Ｓ２）と、前記抜止め部材の反挿入側面（Ｓ１）とを有し、前記挿入側面（Ｓ２）の、前記抜止め部材の軸線（Ｌ）に対する外角の角度（θ２）は、前記反挿入側面（Ｓ１）の、前記抜止め部材の軸線（Ｌ）に対する外角の角度（θ１）より大きいことを特徴とする、請求項１または２に記載の管継手構造。
【請求項４】
前記歯部は、前記抜止め部材の軸回りに螺旋状に形成されていることを特徴とする、請求項１から３の何れか１つに記載の管継手構造。
【請求項５】
前記押し込み機構は、前記封止部材に当接される押し輪と、前記押し輪と前記継手部材とを締結するボルトとナットとからなることを特徴とする、請求項１から４の何れか１つに記載の管継手構造。
【請求項６】
前記抜け止め部材の前記封止部材と接する面には、突部が形成されていること特徴とする、請求項１から５の何れか１つに記載の管継手構造。
【請求項７】
前記継手部材は、前記接続対象管の端部と被接続対象管の端部とを接続する接続継手部材であることを特徴とする、請求項１から６の何れか１つに記載の管継手構造。
【請求項８】
前記継手部材は、前記接続対象管の端部を閉塞するキャップ部材であることを特徴とする、請求項１から６の何れか１つに記載の管継手構造。
【請求項９】
前記封止部材は、ゴム製であることを特徴とする、請求項１から８の何れか１つに記載の管継手構造。
【請求項１０】
前記接続対象管は、樹脂管であることを特徴とする、請求項１から９の何れか１つに記載の管継手構造。
【請求項１１】
前記樹脂管は、ポリエチレン管であることを特徴とする、請求項１０に記載の管継手構造。
【請求項１２】
前記被接続対象管は、金属管であることを特徴とする、請求項７に記載の管継手構造。
【請求項１３】
前記被接続対象管は、樹脂管であることを特徴とする、請求項７に記載の管継手構造。
【発明の詳細な説明】
【技術分野】
【０００１】
この発明は、管継手構造、特に、管端部に接続するキャップ部材や接続継手部材を含む管継手構造に関するものである。
【背景技術】
【０００２】
ポリエチレン管と鋳鉄管とを接続するための従来の継手構造としては、図６に示すようなメカニカル継手構造が知られている。
【０００３】
この継手構造は、ポリエチレン管２１の端部に接続される継手部材または鋳鉄管２２が、フランジ２３を有するメカニカル継手部２４を備えている。ポリエチレン管２１の端部内には、補強部材２５が打ち込まれて、ポリエチレン管２１の端部の剛性が高められており、その端部外周には、ロックリング２６とカラーリング２７とからなる抜け止めリング２８が装着されている。
【０００４】
さらに、抜け止めリング２８からポリエチレン管２１の奥側に隣接して、バックアップリング３０、ゴム輪３３（角ゴム輪３２と丸ゴム輪３１）、座金３４、押し輪２９が順に装着されている。このように各部材が装着され、ポリエチレン管２１がメカニカル継手部２４に挿入された状態で、押し輪２９のリブ部で座金３４を押すように、フランジ２３のボルト孔２３ａと押し輪２９のボルト孔２９ａにボルト３５を通してナット３６で締め付けることにより接続されるものである（特許文献１参照）。
【０００５】
また、ポリエチレン管２１の端部を閉塞する従来のキャップ構造として、図７に示すような融着キャップ構造が知られている。このキャップ構造は、受口部３７を有し、受口部３７の内面部に発熱線３８を備えたキャップ部材３９を用い、ポリエチレン管２１の端部を受口部３７の内側に挿入し、キャップ部材３９の端子部４０から引き出された発熱線３８の引出線４１に電圧を印加してキャップ部材３９をポリエチレン管２１の端部に融着接続するものである（特許文献２参照）。
【先行技術文献】
【特許文献】
【０００６】
【特許文献１】特開平１０−１３２１６８号公報
【特許文献２】特開平１１−２１０９７８号公報
【発明の概要】
【発明が解決しようとする課題】
【０００７】
上述したメカニカル継手構造は、接続対象管（例えば、ポリエチレン管２１の端部の外周に抜け止めリング２８（ロックリング２６、カラーリング２７）を装着するスペースと、バックアップリング３０、ゴム輪３３（丸ゴム輪３１、角ゴム輪３２）、座金３４等の封止部材を配置するスペースが必要となる。このため接続対象管の管端から管軸に沿って接続するに要するスペースが長くなり、埋設管の場合等は、掘削に時間と労力を要し、また、継手自体の大型化によって良好な作業性が得られない問題があった。
【０００８】
一方、図７に示すような融着キャップ構造は、例えば、鋳鉄管２２からポリエチレン管２１への入れ替え工事を行う場合の仮閉塞等に用いられるが、この場合には、入れ替え工事が進行する毎にポリエチレン管２１の端部を切断して融着キャップ部分は廃棄されることになる。これによると、融着キャップ部分の融着作業に時間と労力を要すると共に、施工の進行に伴って出る大量の廃棄物の処理が問題となっている。
【０００９】
従って、この発明の目的は、管端部に接続するキャップ部材や接続継手部材を含む管継手構造において、接続対象管の管端部の接続スペースを短くすること、継手構造を小型化することにより接続作業を改善すること、鋳鉄管からポリエチレン管への入れ替え工事における作業性を改善すること、施工時に廃棄物を出さず、再利用可能なキャップ構造を得ることができること等を目的とする管継手構造を提供することにある。
【課題を解決するための手段】
【００１０】
この発明は、上記目的を達成するためになされたものであり、下記を特徴とするものである。
【００１１】
請求項１に記載の発明は、接続対象管の端部に継手部材を接続する管継手構造において、第１抜け止め手段と第２抜け止め手段とを備え、前記第１抜け止め手段は、前記接続対象管の管端内に挿入される、外周面に歯部が形成された抜け止め部材と、前記継手部材の端部内周面と前記接続対象管の端部外周面との間に形成された隙間内に挿入される封止部材と、前記封止部材を押し込んで、前記接続対象管を縮径させ、かくして、前記接続対象管の内周面に前記歯を食い込ませる押し込み機構とからなり、前記第２抜け止め手段は、前記継手部材内に形成された継手部材側係合部と、前記抜け止め部材に形成された、前記継手部材側係合部と係合する抜け止め部材側係合部とからなることに特徴を有するものである。
【００１２】
請求項２に記載の発明は、請求項１に記載の発明において、前記継手部材側係合部は、前記継手部材の内周面に沿って間隔をあけて形成され、前記抜け止め部材側係合部は、前記抜け止め部材の内周面に沿って間隔をあけて形成され、前記継手部材側係合部の間隔は、前記抜け止め部材側係合部の幅より広く形成されていることに特徴を有するものである。
【００１３】
請求項３に記載の発明は、請求項１または２に記載の発明において、前記歯部は、前記抜止め部材の挿入側面（Ｓ２）と、前記抜止め部材の反挿入側面（Ｓ１）とを有し、前記挿入側面（Ｓ２）の、前記抜止め部材の軸線（Ｌ）に対する外角の角度（θ２）は、前記反挿入側面（Ｓ１）の、前記抜止め部材の軸線（Ｌ）に対する外角の角度（θ１）より大きいことに特徴を有するものである。
【００１４】
請求項４に記載の発明は、請求項１から３の何れか１つに記載の発明において、前記歯部は、前記抜止め部材の軸回りに螺旋状に形成されていることに特徴を有するものである。
【００１５】
請求項５に記載の発明は、請求項１から４の何れか１つに記載の発明において、前記押し込み機構は、前記封止部材に当接される押し輪と、前記押し輪と前記継手部材とを締結するボルトとナットとからなることに特徴を有するものである。
【００１６】
請求項６に記載の発明は、請求項１から５の何れか１つに記載の発明において、前記抜け止め部材の前記封止部材と接する面には、突部が形成されていることに特徴を有するものである。
【００１７】
請求項７に記載の発明は、請求項１から６の何れか１つに記載の発明において、前記継手部材は、前記接続対象管の端部と被接続対象管の端部とを接続する接続継手部材であることに特徴を有するものである。
【００１８】
請求項８に記載の発明は、請求項１から６の何れか１つに記載の発明において、前記継手部材は、前記接続対象管の端部を閉塞するキャップ部材であることに特徴を有するものである。
【００１９】
請求項９に記載の発明は、請求項１から８の何れか１つに記載の発明において、前記封止部材は、ゴム製であることに特徴を有するものである。
【００２０】
請求項１０に記載の発明は、請求項１から９の何れか１つに記載の発明において、前記接続対象管は、樹脂管であることに特徴を有するものである。
【００２１】
請求項１１に記載の発明は、請求項１０に記載の発明において、前記樹脂管は、ポリエチレン管であることに特徴を有するものである。
【００２２】
請求項１２に記載の発明は、請求項７に記載の発明において、前記被接続対象管は、金属管であることに特徴を有するものである。
【００２３】
請求項１３に記載の発明は、請求項７に記載の発明において、前記被接続対象管は、樹脂管であることに特徴を有するものである。
【発明の効果】
【００２４】
この発明によれば、封止部材を押し込んで接続対象管を縮径させて、接続対象管の内周面に抜け止め部材の歯を食い込ませると共に、継手部材内に形成された継手部材側係合部と抜け止め部材に形成された抜け止め部材側係合部とを係合させる構造とすることによって、接続対象管の抜け止めを確実に図ることができると共に、接続対象管の外周面に抜け止めリングとメカニカル継手部とを並べて配置する従来の管継手構造に比べて、接続対象管の管端から管軸に沿って接続するに要するスペースの長さを短くすることができる。
【００２５】
また、従来の管継手構造のように、接続対象管の外周面に抜け止めリングとメカニカル継手部とを並べて配置する必要がないので、継手部材の長さを短くすることができる。この結果、接続に要する部品数を減らし、かつ、継手構造を小型化することができるので、管継手の接続作業を改善することができる。
【００２６】
さらに、上述した継手部材の構成を備えたキャップ部材を用いて、鋳鉄管からポリエチレン管への入れ替え工事における管端閉塞を行う場合には、施工時に廃棄物を出さず、再利用可能なキャップ構造を得ることできる。
【図面の簡単な説明】
【００２７】
【図１】継手部材が接続継手部材である、この発明の管継手構造を示す断面図である。
【図２】図１のＡ矢視図である。
【図３】抜け止め部材側係合部と継手部材側係合部とが係合していない状態を示す図１のＡ矢視図である。
【図４】抜け止め部材の部分拡大図である。
【図５】継手部材がキャップ部材である、この発明の管継手構造を示す断面図である。
【図６】従来の継手構造を示す断面図である。
【図７】従来のキャップ構造を示す部分断面図である。
【発明を実施するための形態】
【００２８】
次に、継手部材が接続継手部材である、この発明の管継手構造の一実施態様を、図面を参照しながら説明する。
【００２９】
図１は、継手部材が接続継手部材である、この発明の管継手構造を示す断面図、図２は、図１のＡ矢視図である。
【００３０】
図１および図２において、１は、接続対象管としてのポリエチレン管である。接続対象管は、ポリエチレン管以外の樹脂管であっても良い。２は、継手部材としての接続継手部材である。接続継手部材２は、ポリエチレン管１の端部と被接続対象管である別のポリエチレン管３の端部とを接続する。被接続対象管は、ポリエチレン管３以外に鋳鉄管や鋼管等の金属管であっても良い。
【００３１】
４は、第１抜け止め手段であり、抜け止め部材５と封止部材６と押し込み機構７とから構成されている。
【００３２】
抜け止め部材５は、筒状をなし、ポリエチレン管１の管端部内に挿入される。抜け止め部材５の一端には、ポリエチレン管１の管端面に当接するフランジ５ａが形成され、抜け止め部材５の外周面には、周方向に亘って歯部５ｂが形成されている。フランジ５ａの外径は、ポリエチレン管１の外径より大きく、ポリエチレン管１の外周面から突出したフランジ５ａ部分には、封止部材６が当接される。抜け止め部材５のフランジ５ａ側内周面には、抜け止め部材５の内周面に沿って間隔をあけて抜け止め部材側係合部５ｃが形成されている。
【００３３】
歯部５ｂは、断面山形をなし、図４に示すように、歯部５ｂの挿入側面（Ｓ２）の、抜け止め部材５の軸線（Ｌ）に対する外角の角度（θ２）は、反挿入側面（Ｓ１）の、抜け止め部材５の軸線（Ｌ）に対する外角の角度（θ１）より大きく形成されている。このように形成することによって、抜け止め部材５をポリエチレン管１の端部内に挿入しやすく、一方、後述するように、ポリエチレン管１の縮径により、歯部５ｂがポリエチレン管１の内周面に食い込んだ後は、ポリエチレン管１の抜け出しを確実に阻止することができる。
【００３４】
なお、図４に示すように、歯部５ｂの頂角（θ３）を鋭角に形成すれば、歯部５ｂがポリエチレン管１の内周面に食い込みやすくなるので、ポリエチレン管１の抜け出し防止効果がさらに向上する。
【００３５】
歯部５ｂは、抜け止め部材５の軸方向に間隔をおいて独立して形成されるが、歯部５ｂを抜け止め部材５の軸回りに螺旋形状に形成しても良い。歯部５ｂを螺旋形状にすることにより、抜け止め部材５をポリエチレン管１の端部内に、例えば、抜け止め部材５に打撃を加えて挿入する際、挿入がきつい状況においても、打撃に代えて抜け止め部材５を回転させながら挿入することにより、螺旋形状部がねじの作用をなして、抜け止め部材５を容易に挿入することができる。また、抜け止め部材５を取り外す際にも、ねじの作用により取り外しが容易に行える。
【００３６】
なお、図４に示すように、後述する封止部材６に接する側の、抜け止め部材５のフランジ５ａ面に突部５ｄを形成すれば、封止部材６に、後述する押し込み機構７により押し込み力が作用した際に、突部５ｄにより封止部材６に生じる反力を、接続継手部材２の端部内周面とポリエチレン管１の端部外周面に効率良く伝達することができる。この結果、シール性が向上すると共に、ポリエチレン管１を確実に縮径させることができる。突部５ｄは、フランジ５ａ面に沿って環状に形成すると良い。
【００３７】
封止部材６は、ゴム輪からなり、接続継手部材２の端部内周面とポリエチレン管１の端部外周面との間に形成された隙間（Ｍ１）内に挿入される。封止部材６が押し込み機構７により隙間（Ｍ１）の奥部に押し込まれると、この押し込み力は、封止部材６の外周面が接続継手部材２により拘束されているので、ポリエチレン管１を縮径する力となる。ポリエチレン管１が縮径すると、抜け止め部材５の歯部５ｂがポリエチレン管１の内周面に食い込む。
【００３８】
押し込み機構７は、封止部材６に当接される押し輪８と、押し輪８と接続継手部材２とを締結するボルト９と、ボルト９に螺合するナット１０とから構成されている。ボルト９は、押し輪８に形成されたボルト孔８ａと接続対象管２に形成されたボルト孔２ａとに挿通される。
【００３９】
１１は、第２抜け止め手段であり、接続継手部材２の軸線方向中央部に接続継手部材２の内周面に沿って間隔をあけて形成された継手部材側係合部２ｂと、上述した、抜け止め部材５に形成された抜け止め部材側係合部５ｃとからなっている。
【００４０】
図２に示すように、継手部材側係合部２ｂの間隔（Ｌ１）は、抜け止め部材側係合部５ｃの幅（Ｌ２）より広く形成されている。これによって、図３に示すように、継手部材側係合部２ａ間に抜け止め部材側係合部５ｃを挿入し、接続継手部材２を、図３中、反時計方向に角度（θ）だけ回転させれば、継手部材側係合部２ａと抜け止め部材側係合部５ｃとが重なり、継手部材側係合部２ａと抜け止め部材側係合部５ｃとが係合する。この結果、接続継手部材２からのポリエチレン管１の抜けを、第１抜け止め手段による抜け止め効果と相俟って確実に防止することができる。
【００４１】
以上のように構成されている、継手部材が接続継手部材である、この発明の管継手構造によれば、以下のようにして、ポリエチレン管の端部に接続継手部材を接続することができる。
【００４２】
図１および図２に示すように、ポリエチレン管１の外周に押し輪８と封止部材６とを装着し、ポリエチレン管１の端部内に抜け止め部材５を挿入する。次いで、抜け止め部材５を挿入したポリエチレン管１の端部に接続継手部材２を嵌め込む。この際、継手部材側係合部２ａ間に抜け止め部材側係合部５ｃを挿入し、接続継手部材２を、継手部材側係合部２ａと抜け止め部材側係合部５ｃとが重なる位置まで回転させて、継手部材側係合部２ａと抜け止め部材側係合部５ｃとを係合させる。
【００４３】
次いで、接続継手部材２の端部内周面とポリエチレン管１の端部外周面との間に形成された隙間（Ｍ１）に封止部材６を挿入する。次いで、ボルト９を押し輪８に形成されたボルト孔８ａと接続継手部材２に形成されたボルト孔２ａとに挿通し、ナット１０を締める。これによって、封止部材６は、接続継手部材２の端部内周面とポリエチレン管１の端部外周面との間に形成された隙間（Ｍ１）の奥部に押し込まれる。封止部材６が押し込まれると、封止部材６によってポリエチレン管１が縮径し、抜け止め部材５の歯部５ｂがポリエチレン管１の内周面に食い込む。この結果、ポリエチレン管１に抜け出し力が作用しても、ポリエチレン管１の内周面に抜け止め部材５の歯部５ｂが食い込むので、継手部材側係合部２ａと抜け止め部材側係合部５ｃとの係合効果と相俟って、ポリエチレン管１の接続継手部材２からの抜け出しを確実に防止することができる。
【００４４】
このようにして、ポリエチレン管１の端部に接続継手部材２を接続することができる。
【００４５】
接続継手部材２を介してポリエチレン管１に接続する被接続対象管は、ポリエチレン管３以外に鋳鉄管や鉄管等の金属管であっても良い。また、接続継手部材２を被接続対象管の端部に形成しても良い。
【００４６】
上述した、継手部材が接続継手部材である、この発明の管継手構造によれば、封止部材６を押し込んでポリエチレン管１を縮径させ、かくして、ポリエチレン管１の内周面に抜け止め部材５の歯５ｂを食い込ませる構造とすることによって、ポリエチレン管１の外周面に抜け止めリング２８とメカニカル継手部２４とを並べて配置する従来の管継手構造に比べて、ポリエチレン管１の管端から管軸に沿って接続するに要するスペースの長さ（Ｌ１）を短くすることができる（図１参照）。
【００４７】
しかも、第１抜け止め手段４と第２抜け止め手段１１との相乗効果によって、ポリエチレン管１の接続継手部材２からの抜け出しを確実に防止することができる。
【００４８】
また、従来の管継手構造（図６参照）のように、接続対象管の外周面に抜け止めリング２８とメカニカル継手部２４とを並べて配置する必要がないので、接続に要する部品数を減らし、かつ、接続継手部材２の長さを短くすることができる。この結果、継手構造を小型化することができるので、管継手の接続作業を改善することができる。
【００４９】
次に、継手部材がキャップ部材である、この発明の管継手構造の一実施態様を、図面を参照しながら説明する。
【００５０】
図５は、継手部材がキャップ部材である、この発明の管継手構造を示す断面図である。
【００５１】
図５において、図１と同一番号は、同一物を示し、説明は、省略する。１２は、継手部材としてのキャップ部材であり、ポリエチレン管１の端部を閉塞する。キャップ部材１２の内面には、図１における継手部材側係合部２ｂに相当するキャップ部材側係合部１２ｂが形成されている。
【００５２】
キャップ部材１２の長さ（Ｌ２）は、従来の管継手構造（図６参照）のように、接続対象管の外周面に抜け止めリング２８とメカニカル継手部２４とを並べて配置する必要がないので、短くすることができるので、キャップ部材１２を小型・軽量化することができる。この結果、ポリエチレン管１の閉塞の作業性を向上させることができる。
【００５３】
継手部材がキャップ部材である、この発明の管継手構造は、例えば、既設の鋳鉄管をポリエチレン管に取り替える、管の交換工事において有効に用いることができる。すなわち、管の交換工事は、一日の作業が終了した時点で、ポリエチレン管１の端部を閉塞する必要があるが、この際に、この発明の管継手構造を、下記のように有効に用いることができる。
【００５４】
管の交換工事で新設されたポリエチレン管１の外周に押し輪８と封止部材６とを装着し、端部内に抜け止め部材５を挿入する。次いで、抜け止め部材５を挿入したポリエチレン管１の端部にキャップ部材１２を嵌め込む。この際、キャップ部材側係合部１２ｂ間に抜け止め部材側係合部５ｃを挿入し、接続継手部材２を、キャップ部材側係合部１２ｂと抜け止め部材側係合部５ｃとが重なる位置まで回転させて、キャップ部材側係合部１２ｂと抜け止め部材側係合部５ｃとを係合させる。
【００５５】
次いで、キャップ部材１２の端部内周面とポリエチレン管１の端部外周面との間に形成された隙間（Ｍ２）に封止部材６を挿入する。次いで、ボルト９を押し輪８に形成されたボルト孔８ａとキャップ部材１２に形成されたボルト孔１２ａとに挿通し、ナット１０を締める。これによって、封止部材６は、キャップ部材１２の内周面とポリエチレン管１の端部外周面との間に形成された隙間（Ｍ２）の奥部に押し込まれる。封止部材６が押し込まれると、封止部材６によってポリエチレン管１が縮径し、抜け止め部材５の歯部５ｂがポリエチレン管１の内周面に食い込む。この結果、ポリエチレン管１に抜け出し力が作用しても、ポリエチレン管１の内周面に抜け止め部材５の歯部５ｂが食い込むので、キャップ部材側係合部１２ｂと抜け止め部材側係合部５ｃとの係合効果と相俟って、キャップ部材１２は、ポリエチレン管１から外れるおそれはなく、ポリエチレン管１の端部を確実に閉塞することができる。
【００５６】
また、キャップ部材１２は、ボルト９を外すことによって、ポリエチレン管１に対して着脱自在であるので、キャップ部材１２を再利用することができる。これによって、図７に示した従来技術における融着キャップ部分の切断により生じる廃棄物処理の問題を解消することができる。
【００５７】
上述した、継手部材がキャップ部材である、この発明の管継手構造によれば、継手部材の構成を備えたキャップ部材１２を用いて、鋳鉄管からポリエチレン管への入れ替え工事における管端閉塞を行う場合には、施工時に廃棄物を出さず、再利用可能なキャップ構造を得ることできる。
【符号の説明】
【００５８】
１：ポリエチレン管
２：接続継手部材
２ａ：ボルト孔
２ｂ：継手部材側係合部
３：ポリエチレン管
４：第１抜け止め手段
５：抜け止め部材
５ａ：フランジ
５ｂ：歯部
５ｃ：抜け止め部材係合部
５ｄ：突部
６：封止部材
７：押し込み機構
８：押し輪
８ａ：ボルト孔
９：ボルト
１０：ナット
１１：第２抜け止め手段
１２：キャップ部材
１２ａ：ボルト孔
１２ｂ：キャップ部材側係合部
２１：ポリエチレン管
２２：鋳鉄管
２３：フランジ
２３ａ：ボルト孔
２４：メカニカル継手
２５：補強材
２６：ロックリング
２７：カラーリング
２８：抜け止めリング
２９：押し輪
２９ａ：ボルト孔
３０：バックアップリング
３１：丸ゴム輪
３２：角ゴム輪
３３：ゴム輪
３４：座金
３５：ボルト
３６：ナット
３７：受口部
３８：発熱線
３９：キャップ部材
４０：端子部
４１：引出線
【図１】
2014142047.tif 000003
【図２】
2014142047.tif 000004
【図３】
2014142047.tif 000005
【図４】
2014142047.tif 000006
【図５】
2014142047.tif 000007
【図６】
2014142047.tif 000008
【図７】
2014142047.tif 000009